【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
原稿に光を照射するための互いに特性が異なる第１、第２の光源を有する光源ユニットと、前記原稿からの光を受光して光電変換する光電変換手段を有する画像読取ユニットとを、主走査方向に長く配置し、前記原稿に対して副走査方向に同期して走査させることにより前記光透過性原稿上の画像情報を読み取るための画像読取装置であって、
前記第１の光源よりも第２の光源の副走査方向光量分布が広い場合に、前記第１の光源からの光を用いて前記画像読み取りユニットで読み取った画像情報に基づいて、前記光源ユニットと前記画像読取ユニットの前記副走査方向の位置合わせを行なう副走査方向位置合わせ手段を備えることを特徴とする画像読取装置。
【請求項２】
前記第１の光源は前記第２の光源よりも光量立ち上がりがはやいことを特徴とする請求項１に記載の画像読取装置。
【請求項３】
前記第１の光源が赤外ＬＥＤまたは白色ＬＥＤであることを特徴とする請求項１に記載の画像読取装置。
【請求項４】
前記第１と第２の光源のうちの一方が前記光透過性原稿上の欠陥を検出する場合に点灯される光源であることを特徴とする請求項１に記載の画像読取装置。
【請求項５】
前記位置合わせを行なう基となる画像情報の主走査方向範囲は、前記光透過性原稿の読取に必要な主走査方向範囲であることを特徴とする請求項１に記載の画像読取装置。
【請求項６】
前記位置合わせを行なう基となる画像情報は、前記光透過性原稿上の画像コマ間の領域を読み取って得ることを特徴とする請求項１に記載の画像読取装置。
【請求項７】
原稿に光を照射するための互いに特性が異なる第１、第２の光源を有する光源ユニットと、前記原稿からの光を受光して光電変換する光電変換手段を有する画像読取ユニットとを、主走査方向に長く配置し、前記原稿に対して副走査方向に同期して走査させることにより前記光透過性原稿上の画像情報を読み取るための画像読取方法であって、
前記第１の光源よりも第２の光源の副走査方向光量分布が広い場合に、前記第１の光源からの光を用いて前記画像読み取りユニットで読み取った画像情報に基づいて、前記光源ユニットと前記画像読取ユニットの前記副走査方向の位置合わせを行なう副走査方向位置合わせ工程を備えることを特徴とする画像読取方法。
【請求項８】
前記副走査方向位置合わせ工程は、前記第１の光源からの光を用いて前記画像読み取りユニットで読み取った画像情報のうち、前記光透過性原稿の読取に必要な主走査方向範囲の画像情報を用いて前記光源ユニットと前記画像読取ユニットの前記副走査方向の位置合わせを行なうことを特徴とする請求項７に記載の画像読取方法。
【請求項９】
前記副走査方向位置合わせ工程は、前記第１の光源からの光を用いて前記画像読み取りユニットで前記光透過性原稿上の画像コマ間の領域を読み取った画像情報に基づいて、前記光源ユニットと前記画像読取ユニットの前記副走査方向の位置合わせを行なうことを特徴とする請求項７に記載の画像読取方法。
【請求項１０】
請求項７乃至９のいずれか１項に記載の画像読取方法をコンピュータに実行させることを特徴とするプログラム。
【請求項１１】
請求項１０に記載のプログラムをコンピュータ読み取り可能に記憶したことを特徴とする記憶媒体。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
【課題を解決するための手段】
上述した課題を解決し、目的を達成するために、本発明に係わる画像読取装置は、原稿に光を照射するための互いに特性が異なる第１、第２の光源を有する光源ユニットと、前記原稿からの光を受光して光電変換する光電変換手段を有する画像読取ユニットとを、主走査方向に長く配置し、前記原稿に対して副走査方向に同期して走査させることにより前記光透過性原稿上の画像情報を読み取るための画像読取装置であって、前記第１の光源よりも第２の光源の副走査方向光量分布が広い場合に、前記第１の光源からの光を用いて前記画像読み取りユニットで読み取った画像情報に基づいて、前記光源ユニットと前記画像読取ユニットの前記副走査方向の位置合わせを行なう副走査方向位置合わせ手段を備えることを特徴としている。
【手続補正８】
【補正対象書類名】明細書
【補正対象項目名】００２５
【補正方法】変更
【補正の内容】
【００２５】
また、この発明に係わる画像読取装置において、前記第１と第２の光源のうちの一方が前記光透過性原稿上の欠陥を検出する場合に点灯される光源であることを特徴としている。
【手続補正９】
【補正対象書類名】明細書
【補正対象項目名】００２６
【補正方法】変更
【補正の内容】
【００２６】
また、この発明に係わる画像読取装置において、前記位置合わせを行なう基となる画像情報の主走査方向範囲は、前記光透過性原稿の読取に必要な主走査方向範囲であることを特徴としている。
【手続補正１０】
【補正対象書類名】明細書
【補正対象項目名】００２７
【補正方法】変更
【補正の内容】
【００２７】
また、この発明に係わる画像読取装置において、前記位置合わせを行なう基となる画像情報は、前記光透過性原稿上の画像コマ間の領域を読み取って得ることを特徴としている。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】変更
【補正の内容】
【００３１】
また、本発明に係わる画像読取方法は、原稿に光を照射するための互いに特性が異なる第１、第２の光源を有する光源ユニットと、前記原稿からの光を受光して光電変換する光電変換手段を有する画像読取ユニットとを、主走査方向に長く配置し、前記原稿に対して副走査方向に同期して走査させることにより前記光透過性原稿上の画像情報を読み取るための画像読取方法であって、前記第１の光源よりも第２の光源の副走査方向光量分布が広い場合に、前記第１の光源からの光を用いて前記画像読み取りユニットで読み取った画像情報に基づいて、前記光源ユニットと前記画像読取ユニットの前記副走査方向の位置合わせを行なう副走査方向位置合わせ工程を備えることを特徴としている。
【手続補正１５】
【補正対象書類名】明細書
【補正対象項目名】００３２
【補正方法】変更
【補正の内容】
【００３２】
また、この発明に係わる画像読取方法において、前記副走査方向位置合わせ工程は、前記第１の光源からの光を用いて前記画像読み取りユニットで読み取った画像情報のうち、前記光透過性原稿の読取に必要な主走査方向範囲の画像情報を用いて前記光源ユニットと前記画像読取ユニットの前記副走査方向の位置合わせを行なうことを特徴としている。
また、この発明に係わる画像読取方法において、前記副走査方向位置合わせ工程は、前記第１の光源からの光を用いて前記画像読み取りユニットで前記光透過性原稿上の画像コマ間の領域を読み取った画像情報に基づいて、前記光源ユニットと前記画像読取ユニットの前記副走査方向の位置合わせを行なうことを特徴としている。